(57)【特許請求の範囲】
【請求項１】
監視対象の異常を感知する異常感知システムと、前記異常感知システムの感知した異常を予め登録された通報先に通報する通報装置との連動を停止し再開させる、連動停止スイッチを有した連動停止スイッチ箱において、
前記異常感知システムと前記通報装置との間に設けられ、前記異常感知システムからの異常信号を前記通報装置へ伝送する構成とされ、
前記連動停止スイッチの操作によって前記異常感知システムと前記通報装置との連動を停止させたときに計時を開始して、その後所定時間が経過したときに、停止させていた連動を自動的に再開させる計時部をさらに備えたことを特徴とする連動停止スイッチ箱。
【請求項２】
請求項１に記載の連動停止スイッチ箱において、
前記所定時間の設定操作を受け付けて記憶する停止時間操作部を更に備えたことを特徴とする連動停止スイッチ箱。
【請求項３】
請求項１又は２に記載の連動停止スイッチ箱において、
前記異常感知システムと前記通報装置との連動を停止させている間に、前記異常感知システムから送信されてきた停止解除信号を受信すると、停止させていた連動を直ちに再開させる指令受信部を更に備えたことを特徴とする連動停止スイッチ箱。
【請求項４】
請求項１乃至３のいずれか一項に記載の連動停止スイッチ箱と、監視対象の異常を感知する異常感知システムと、前記異常感知システムの感知した異常を予め登録された通報先に通報する通報装置とを備えてなる異常感知通報システム。
【請求項５】
感知器で構成され、前記感知器は、請求項３に記載の連動停止スイッチ箱に対して前記停止解除信号を送信する機能を備えたことを特徴とする異常感知システム。
【発明の詳細な説明】
【技術分野】
【０００１】
本発明は異常感知システム及び通報装置と組み合わせて異常感知通報システムを構成する連動停止スイッチ箱に関する。
【背景技術】
【０００２】
前記連動停止スイッチ箱は異常感知システムの試験等の際、故意に生じさせた異常の通報を一時的に停止させるためのものである。そのような通報の停止に関連する従来技術として例えば次の特許文献があり、通報停止機能を備えたワイヤレス緊急通報システムが記載されている。そのシステムでは、ワイヤレス発信器から所定のワイヤレス信号を受信した受信器は異常検知信号をコントローラに送出し、これを受けたコントローラは通報先に繰り返し呼出を行うが、その呼出途中に通報停止スイッチが操作されたときには呼出を停止する。
【先行技術文献】
【特許文献】
【０００３】
【特許文献１】特開平０９−０１６８８０号公報
【発明の概要】
【発明が解決しようとする課題】
【０００４】
前記特許文献１に記載のシステムでは通報停止スイッチの操作によって通報を停止することが可能であるが、その停止の解除については特に提案はない。異常感知システムの定期試験等では感知器の炙り試験等では故意に火災感知させて警報が発報されるか否かを試験するが、通報停止スイッチの操作によって通報停止させた場合、試験終了後に通報を再開させる操作が忘れられたまま放置されるおそれがある。本発明はそのような問題に着目してなされたものであり、異常感知システムと通報装置との連動を一時停止させたあと連動停止のままにならない連動停止スイッチ箱を提供することを目的としている。
【課題を解決するための手段】
【０００５】
本発明による連動停止スイッチ箱は、監視対象の異常を感知する異常感知システムと、前記異常感知システムの感知した異常を予め登録された通報先に通報する通報装置との連動を停止し再開させる、連動停止スイッチを有した連動停止スイッチ箱において、前記異常感知システムと前記通報装置との間に設けられ、前記異常感知システムからの異常信号を前記通報装置へ伝送する構成とされ、前記連動停止スイッチの操作によって前記異常感知システムと前記通報装置との連動を停止させたときに計時を開始して、その後所定時間が経過したときに、停止させていた連動を自動的に再開させる計時部をさらに備えたことを特徴とする。
【０００６】
また本発明による異常感知通報システムは、前記連動停止スイッチ箱と、監視対象の異常を感知する異常感知システムと、前記異常感知システムの感知した異常を予め登録された通報先に通報する通報装置とを備えてなる。
【０００７】
また本発明による異常感知システムは感知器で構成され、前記感知器は、連動停止スイッチ箱に対して前記停止解除信号を送信する機能を備えたものであってもよい。
【発明の効果】
【０００８】
本発明によれば、感知システムの試験時等に、連動停止スイッチの操作によって異常感知システムと通報装置との連動を一時停止させても、時間経過によって連動が自動的に再開されるので、通報停止の状態のまま放置される事態が確実に防止される。
【図面の簡単な説明】
【０００９】
【図１】本発明の実施形態とされる連動停止スイッチ箱の基本構成を示すブロック図である。
【図２】連動停止スイッチ箱の基本動作を具体的に示すフローチャートである。
【図３】連動停止スイッチ箱を用いて構成された異常感知通報システムの一例の全体基本構成図である。
【図４】連動停止スイッチ箱を用いて構成された異常感知通報システムの他例の全体基本構成図である。
【図５】連動停止スイッチ箱を用いて構成された異常感知通報システムの他例の全体基本構成図である。
【発明を実施するための形態】
【００１０】
図１は本発明の実施形態とされる連動停止スイッチ箱の基本構成を示すブロック図である。連動停止スイッチ箱１０は、火災等、監視対象の異常を感知する異常感知システム２と、異常感知システム２の感知した異常を予め登録された通報先５に通報する通報装置３０との間に設けられて、異常感知システム２と通報装置３０との連動を停止し再開させる装置である。以下、図１を参照しながら連動停止スイッチ箱１０の基本構成を説明する。
【００１１】
連動停止スイッチ１１は異常感知システム２と通報装置３０との連動を停止させるための操作を受け付ける操作部であって、例えば押し釦等で構成される。
【００１２】
停止時間操作部１２は連動停止スイッチ１１の操作によって異常感知システム２と通報装置３０との連動を停止させてから連動を自動的に再開させるまでの停止時間を予め設定する操作を受け付ける操作部であって、例えばディップスイッチ等で構成される。停止時間の選択操作では、例えば５分、１０分、１５分等の選択候補からいずれか１つを選択する方法を採用してもよい。
【００１３】
スイッチ回路１３は異常感知システム２と通報装置３０とを接続する信号線を接続、遮断制御する回路であって、例えば常時閉タイプのリレー回路等で構成される。リレー回路であれば、信号線に伝送される異常信号が有電圧信号であっても無電圧信号（接点信号）であっても対応できる。なおＴ１、Ｔ２はスイッチ回路１３に対する入力端子、出力端子を示している
【００１４】
制御回路１４は、連動停止スイッチ１１の操作に基づいてスイッチ回路１３を制御する回路であって、例えばマイコン基板等で構成される。制御回路１４は、連動停止スイッチ１１の操作によって異常感知システム２と通報装置３０との連動を停止させたときに計時を開始して、その後所定時間が経過したときに、停止させていた連動を自動的に再開させる計時部１５を構成する。近時マイコンにはタイマー回路等が集積されているので、このような計時部１５は簡単に実現できる。
【００１５】
指令受信部１６は、異常感知システム２から送信されてきた停止解除信号を受信する回路であって、同期又は非同期通信回路等によって構成できる。停止解除信号の形式は特に制限されない。指令受信部１６は、異常感知システム２と通報装置３０との連動を停止させている間に停止解除信号を受信すると制御回路１４に通知して、停止させていた連動を直ちに再開させる。
【００１６】
連動停止スイッチ箱１０は図示しない電源部を備える。電源部は電池電源を用いる構成でもよいし、商用電源を整流して作動電源を供給する構成でもよいし、通報装置３０又は異常感知システム２からの給電を受ける構成でもよい。また連動停止スイッチ箱１０は連動状態、連動停止状態等を示す状態ランプ等を備えてもよい。
【００１７】
連動停止スイッチ箱１０の基本動作は次のようになっている。すなわち連動停止スイッチ箱１０は通常、スイッチ回路１３を閉じて異常感知システム２から通報装置３０への異常信号の伝送を許容する連動状態を保つ。この状態のときに連動停止スイッチ１１が操作されると、連動停止スイッチ箱１０はスイッチ回路１３を開いて異常感知システム２から通報装置３０への異常信号の伝送を禁止する連動停止状態に移る。その後連動停止スイッチ１１が再操作されたか、異常感知システム２から停止解除信号を受信すれば、連動停止スイッチ箱１０はスイッチ回路１３を閉じて連動状態に戻る。また連動停止スイッチ箱１０は、連動停止スイッチ１１の操作を受けて異常感知システム２と通報装置３０との連動を停止させたときに計時部１５で計時を開始し、その後所定時間が経過したときも、停止させていた連動を自動的に再開させる。
【００１８】
図２は前記基本動作を具体的に示すフローチャートである。
ステップ１００は連動状態において連動停止スイッチの操作を監視する処理である。連動停止スイッチが操作されるまでこの処理が繰り返される。連動停止スイッチが操作されれば、ステップ１０１以降が実行される。
ステップ１０１は異常感知システムと通報装置との連動を停止させる処理、ステップ１０２は計時を開始する処理である。
ステップ１０３は連動停止スイッチの再操作を監視する処理である。ステップ１０４は異常感知システムからの停止解除信号の受信を監視する処理である。ステップ１０５はステップ１０２で計時開始してからの所定時間の経過を監視する処理である。ステップ１０３からステップ１０５までの処理は、連動停止スイッチの再操作、停止解除信号の受信、又は所定時間の経過が検知されるまで繰り返される。ステップ１０６は、その内のいずれかが検知されたときに連動を再開させる処理である。
【００１９】
図３は前記連動停止スイッチ箱を用いて構成された異常感知通報システムの一例の全体基本構成図である。すなわち異常感知通報システムは、連動停止スイッチ箱１０と、監視対象の異常を感知する異常感知システム２と、異常感知システム２の感知した異常を予め登録された通報先５に通報する通報装置３０とを備えてなる。無線受信機４０と通報装置３０は有線接続されており、連動停止スイッチ箱１０はその信号線に介装される。
【００２０】
異常感知システム２は、無線通信によって相互に警報連動する複数の火災警報器２０、…によって構成される。火災警報器２０、…の各々は共通のシステムＩＤと個別の機器ＩＤとが予め設定されており、同一システム内の火災警報器２０、…との間でのみ無線通信を行う。
【００２１】
火災警報器２０、…の各々は火災を感知したときには所定の警報音によって火災警報を開始するとともに警報連動信号を他の火災警報器２０、…に送信する。一方、他の火災警報器２０、…から警報連動信号を受信したときには所定の警報音によって連動警報を開始する。また火災警報器２０、…の各々は火災警報又は連動警報を開始したあと警報停止操作をされると火災警報又は連動警報を停止するとともに警報停止信号を他の火災警報器２０、…に送信する。一方、他の火災警報器２０、…から警報停止信号を受信したときには火災警報又は連動警報を停止する。これにより火災警報器２０、…全体による警報連動が実現される。このように無線通信によって警報連動する火災警報器は従来公知である。
【００２２】
無線受信機４０は火災警報器２０、…と同一のシステムＩＤと個別の機器ＩＤを予め登録することで異常感知システム２と無線通信可能に構成される。具体的には同一システムに属する火災警報器２０、…から警報連動信号や警報停止信号を受信できる。無線受信機４０は火災警報器２０、…から警報連動信号を受信したときには異常信号を生成して通報装置３０に送信する。
【００２３】
連動停止スイッチ箱１０の基本構成及び作用は前記の通りである。連動停止スイッチ箱１０は矩形の小型筐体を備え、筐体前面に押釦式の連動停止スイッチ１１と、ディップスイッチ式の停止時間操作部１２が設けられている。端子台等は筐体背面に設けられている。連動停止スイッチ１１は誤操作を防止するために開閉自在な透明カバー１１ａを設けるとよい。停止時間操作部１２は設置時を除いて通常操作されることはないから蓋板１２ａによって隠すようにしてもよい。連動停止スイッチ箱１０は無線受信機４０を内蔵してもよい。
【００２４】
通報装置３０は矩形の筐体を備え、筐体前面に押釦式の手動通報スイッチ３１が設けられている。端子台等は筐体背面に設けられている。通報装置３０は手動通報スイッチ３１が操作されると異常感知システム２からの異常信号の有無に関わらず異常を通報先５に通報する。手動通報スイッチ３１は誤操作を防止するために開閉自在な透明カバー３１ａを設けるとよい。通報装置３０は通報先５と通話できるように通話装置３２を備えてもよい。通報装置３０は電話網等、携帯電話網、あるいはインターネット等の通信網を用いて通報を行う。通信網の種別や通報の伝送形態は特に制限されない。
【００２５】
通報装置３０は所定の通報先５として、消防署、警察署、あるいは個人等、複数件の電話番号やメールアドレスが予め登録される。通報先５毎に通信網の種別等が設定できるようにしてもよい。複数の通報先５には優先順位を設定しておき、通報の際にはその優先順位に従って通報を行うとよい。
【００２６】
異常感知通報システムは、通常の基本動作では、異常監視システム内の火災警報器２０、…が火災を感知すると無線受信機から通報装置３０に異常信号が送信されて、このとき警報停止スイッチ箱は連動状態であるから、通報装置３０から通報先５に異常が通報される。
【００２７】
一方異常感知システム２の定期試験等では、試験によって感知された異常を通報先５に通報するのは不都合である。そのため試験開始前に連動停止スイッチ１１を操作して異常感知システム２と通報装置３０との連動を停止させてから炙り試験等を行えばよい。そうすれば試験によって異常感知システム２が異常を感知してもその異常が通報先５に通報されなくなる。そして試験が終了すれば連動停止スイッチ１１を再操作して異常感知システム２と通報装置３０との連動を再開させればよい。
【００２８】
あるいはその再操作に代えて、異常感知システム２で所定操作することによって異常感知システム２から連動停止スイッチ箱１０に停止解除信号を送信してもよい。例えば火災警報器２０あるいは感知器が停止解除信号を送信する機能を有してもよい。具体的には火災警報器２０に対して炙り試験が複数回繰り返されると火災警報器２０は停止解除信号を送出する等である。こうすれば火災警報器２０と連動停止スイッチ箱１０とが離れている場合でも、連動停止スイッチ１１を再操作するために係員が連動停止スイッチ箱１０の場所まで移動する手間が省かれる。
【００２９】
また前記の連動停止スイッチ１１の再操作又は異常感知システム２での所定操作が忘れられたとしても連動停止スイッチ箱１０は連動停止スイッチ１１の最初の操作から所定時間が経過すれば、異常感知システム２と通報装置３０との連動を自動的に再開させる。そのため試験終了後に通報停止の状態のまま放置される事態は確実に防止される。
【００３０】
図４は前記連動停止スイッチ箱を用いて構成された異常感知通報システムの他例の基本構成図である。図３に示したシステムとの相違点は、異常感知システム２が有線通信によって相互に警報連動する複数の火災警報器２０、…によって構成されている点である。他の構成は図３に示したシステムと同様なので説明を省略する。火災警報器２０、…間の有線通信では警報連動信号や警報停止信号が伝送される。火災警報器２０、…の一つと通報装置３０は有線接続されており、連動停止スイッチ箱１０はその信号線に介装されている。
【００３１】
図５は前記連動停止スイッチ箱を用いて構成された異常感知通報システムの他例の基本構成図である。図３に示したシステムとの相違点は、異常感知システム２が火災受信機２１と、火災受信機２１によって監視制御される複数の火災感知器２０、…によって構成されている点である。火災受信機２１はＰ型であってもＲ型でもよい。火災受信機２１は火災時に移報信号を出力する機能を有する。火災受信機２１と通報装置３０は移報信号を伝送するように有線接続されており、連動停止スイッチ箱１０はその信号線に介装されている。
【符号の説明】
【００３２】
１０    連動停止スイッチ箱
１１    連動停止スイッチ
１２    停止時間操作部
１５    計時部
１６    指令受信部
２      異常感知システム
２０    感知器
３０    通報装置
５      通報先
【図１】
0006735468.tif 000002
【図２】
0006735468.tif 000003
【図３】
0006735468.tif 000004
【図４】
0006735468.tif 000005
【図５】
0006735468.tif 000006